(57)【要約】【課題】運搬用台に簡単に取付けて載置物のズリ落ち防止ができると共に、ズリ落ち防止部材を必要としない場合には簡単に取り外すことができる。【解決手段】平面視矩形状の運搬用台１と、該運搬用台１の上面部の外周に沿って上方からの嵌め込みにより着脱自在に取付けられる平面視矩形枠状をしたズリ落ち防止部材２とで構成してある。ズリ落ち防止部材２の４辺の下部に運搬用台１の４外側面に嵌め込まれる嵌め込み部３を設ける。ズリ落ち防止部材２の下部の嵌め込み部３を運搬用台１に嵌め込んだ状態でズリ落ち防止部材２に設けた載置部４を運搬用台１の上面に載置し且つズリ落ち防止部材２の４辺の上部に設けたズリ落ち防止部５を運搬用台１の上面から上方に突出させる。【選択図】        図１
2005008200.tif 000002
【特許請求の範囲】
【請求項１】
平面視矩形状の運搬用台と、該運搬用台の上面部の外周に沿って上方からの嵌め込みにより着脱自在に取付けられる平面視矩形枠状をしたズリ落ち防止部材とで構成され、ズリ落ち防止部材の４辺の下部に運搬用台の４外側面に嵌め込まれる嵌め込み部を設け、ズリ落ち防止部材の下部の嵌め込み部を運搬用台に嵌め込んだ状態でズリ落ち防止部材に設けた載置部を運搬用台の上面に載置し且つズリ落ち防止部材の４辺の上部に設けたズリ落ち防止部を運搬用台の上面から上方に突出させて成ることを特徴とする運搬装置。
【請求項２】
平面視矩形枠状をしたズリ落ち防止部材を運搬用台の上面部の外周縁部に嵌め込みにより着脱自在に取付けた状態で、ズリ落ち防止部材の４辺の上部のズリ落ち防止部の外側面を平面視で運搬用台の外側面とほぼ面一又は運搬用台の外側面よりもやや内側にずらし、嵌め込み部を運搬用台の外側面と平行な縦片により構成して成ることを特徴とする請求項１記載の運搬装置。
【請求項３】
平面視矩形枠状をしたズリ落ち防止部材を運搬用台の上面部の外周縁部に嵌め込みにより着脱自在に取付けた状態で、ズリ落ち防止部材の４辺の上部に設けたズリ落ち防止部のうち、一方の一対の対向する２辺に設けたズリ落ち防止部の内側面を運搬用台の対応する一方の一対の辺の外端よりも平面視で運搬用台の外側にずらして位置させると共に他方の一対の対向する２辺に設けたズリ落ち防止部の外側面を運搬用台の対応する他方の一対の辺の外側面と略面一又は運搬用台の外側面よりもやや内側にずらし、上記他方の一対の対向する２辺に設けたズリ落ち防止部の下部に設けた嵌め込み部を運搬用台の外側面と平行な縦片により構成して成ることを特徴とする請求項１記載の運搬装置。
【請求項４】
下部に縦片よりなる嵌め込み部を垂設した一対のズリ落ち防止部にそれぞれ上方に向けてズレ防止補助部材を突設し、該ズレ防止補助部材に、嵌め込み部の上下高さと同じ上下高さの上下間隔保持部と、上下間隔保持部から上方に突出した嵌め込み支持凹部とを備え、ズリ落ち防止部材の上に上段のズリ落ち防止部材を平面視で同一姿勢で又は１８０度回転した姿勢で載置した状態で、上段のズリ落ち防止部の内側面又は外側面の少なくとも一方に下段のズレ防止補助部材の嵌め込み支持凹部の側端部が当接して下段のズリ落ち防止部材と上段のズリ落ち防止部材との横ずれを防止するための横ズレ防止部を設けて成ることを特徴とする請求項１乃至請求項３のいずれかに記載の運搬装置。
【発明の詳細な説明】
【０００１】
【発明の属する技術分野】
本発明は、パレットや運搬用台車等の運搬用台の上面に載置した載置物が横ずれして落下するのを防止することができる運搬装置に関するものである。
【０００２】
【従来の技術】
従来からパレット上面に載置した載置物がズリ落ちるのを防止するために、パレットの上面の外周縁部にパレットと一体にズリ落ち防止突部を形成したものが知られている。（例えば、特許文献１、特許文献２参照）
ところが、このようにパレットとズリ落ち防止突部とを一体に形成したものにおいては、パレットの外周縁部にズリ落ち防止突部を設けない使い方をする場合には適応できないという問題がある。つまり、パレットに載置物を載置するに当たり、パレットの上面の端縁から載置物の端部を載せてそのまま載置物をパレット上面に当接したまま横にずらしながら載置するような場合があるが、ズリ落ち防止突部がパレットと一体に形成してあると、該ズリ落ち防止突部が邪魔になり、上記のような載置方法を採用しなければならないような場合に適用できないという問題がある。また、パレットを空の状態で搬送したり保管したりする場合、ズリ落ち防止突部が邪魔になり積み重ねて搬送したり保管し難いという問題がある。
【０００３】
一方、パレットの外周部の各辺に複数の係止孔を形成し、パレットとは別体のズリ落ち防止突部に係止部を設け、上記パレットの外周部の各辺に設けた複数の係止孔にそれぞれズリ落ち防止突部ぶ設けた係止部を係止することで、パレットの外周部の複数の別体のズリ落ち防止突部を取付けるようにしたものが特許文献３により知られている。
【０００４】
ところが、この従来例にあっては、パレットの各辺に複数の別体のズリ落ち防止突部を係止により取付けるものであるから、取付けに手間がかかり、また、いったん係止により取付けた後は載置物のズレ防止を確実に行うためには係止が容易に取り外せないように構成する必要があり、したがって、このものにおいても、いったんズリ落ち防止突部を係止により取付けた後は、前述の特許文献１や特許文献２に示された従来例と同様にパレットの外周縁部にズリ落ち防止突部を設けない使い方をする場合には適応できないという問題がある。また、この従来例においても、パレットを空の状態で搬送したり保管したりする場合、ズリ落ち防止突部が邪魔になり積み重ねて搬送したり保管したりし難いという問題がある。
【０００５】
更に、特許文献３に示された従来例においては、パレットとして外周部の各辺に複数の係止孔を設けた特別な形態のものである必要があり、係止孔の無い通常一般に使用されているパレットの上面の４縁部にズリ落ち防止突部を取付けることはできなかった。
【０００６】
【特許文献１】
特開平６−７６０５４号公報
【特許文献２】
特開平８−２６２７９号公報
【特許文献３】
実開平５−６５８３８号公報
【０００７】
【発明が解決しようとする課題】
本発明は上記の点に鑑みてなされたものであり、運搬用台に簡単に取付けて載置物のズリ落ち防止ができると共に、ズリ落ち防止部材を必要としない場合には簡単に取り外すことができ、更に、非使用時にズリ落ち部材同士を上下に多段に嵩低く積み重ねて搬送や保管ができる運搬装置を提供することを課題とするものである。
【０００８】
【課題を解決するための手段】
上記課題を解決するために本発明に係る運搬装置は、平面視矩形状の運搬用台１と、該運搬用台１の上面部の外周に沿って上方からの嵌め込みにより着脱自在に取付けられる平面視矩形枠状をしたズリ落ち防止部材２とで構成され、ズリ落ち防止部材２の４辺の下部に運搬用台１の４外側面に嵌め込まれる嵌め込み部３を設け、ズリ落ち防止部材２の下部の嵌め込み部３を運搬用台１に嵌め込んだ状態でズリ落ち防止部材２に設けた載置部４を運搬用台１の上面に載置し且つズリ落ち防止部材２の４辺の上部に設けたズリ落ち防止部５を運搬用台１の上面から上方に突出させて成ることを特徴とするものである。
【０００９】
このような構成とすることで、運搬用台１にズリ落ち防止部材２を取付けるには平面視矩形状をしたズリ落ち防止部材２を運搬用台１に上方から嵌め込むだけで簡単に運搬用台１の４辺からそれぞれズリ落ち防止部５が上方に突出するように取付けることができ、これにより運搬用台１の上面に載置した載置物が横ずれしてズリ落ちるのを平面視矩形状をしたズリ落ち防止部材２のズリ落ち防止部５により確実に防止することができ、また、矩形枠状をしているので、全体の強度が強くてこの点でも載置物のズリ落ちを確実に防止できるものである。しかも、平面視矩形状をしたズリ落ち防止部材２を運搬用台１に上方から嵌め込むという簡単な方法で取付けることができ、また、運搬用台１にズリ落ち防止部材２を必要としない場合にはズリ落ち防止部材２を上方に引きぬくことで簡単に取り外してズリ落ち部防止部材２を取付けない状態で運搬用台を使用することができ、４辺に沿って突出するズリ落ち防止部５を有するズリ落ち防止部材２の着脱が一回の嵌め込み又は取り外しでできるものであり、また、上記のようにズリ落ち防止部材を上方から嵌め込むだけで取付けできるので、ズリ落ち防止部材２を取付けるための特別な構造を運搬用台１に備える必要がなく、運搬用台１として従来から使用されている一般的な形状の運搬用台１に上記ズリ落ち防止部材２をそのまま嵌め込みにより取付けることが可能である。また、空の運搬用台１を複数搬送したり、保管したりする際、ズリ落ち防止部材２を取り外して空の運搬用台１のみを従来と同様に複数段重ねて搬送したり、保管したりできるものである。
【００１０】
また、平面視矩形枠状をしたズリ落ち防止部材２を運搬用台１の上面部の外周縁部に嵌め込みにより着脱自在に取付けた状態で、ズリ落ち防止部材２の４辺の上部のズリ落ち防止部５の外側面を平面視で運搬用台１の外側面とほぼ面一又は運搬用台１の外側面よりもやや内側にずらし、嵌め込み部３を運搬用台１の外側面と平行な縦片６により構成することが好ましい。
【００１１】
このような構成とすることで、４辺のズリ落ち防止部５がいずれも運搬用台１から外側にオーバーハング状に突出することがなく、また、嵌め込み部３が運搬用台１の外側面から縦片６の板厚分しか外側に突出せず、したがって、ズリ落ち防止部材２を取付けた状態の運搬用台１の４辺のうちどの辺を壁に近接させて設置してもズリ落ち防止部５や嵌め込み部３が壁に衝突して破損したりしないものである。また、運搬用台１を横に複数並べる場合、運搬用台１の外側面同士を近接させて並設することで狭いスペースに多くの運搬用台１を並設できるが、この場合、隣接する運搬用台１のズリ落ち防止部５同士が衝突して破損したりしないものであり、また、運搬用台１がフォーク挿入口１１を有するパレット１ａの場合、フォーク挿入口１１にＬ状をしたフォークの根元まで挿入するのが通常の使用形態であるが、このような場合、ズリ落ち防止部５が運搬用台１の外側面からオーバーハング状に突出しているとフォークの根元がズリ落ち防止部５に衝突してズリ落ち防止部５が損傷するおそれがあるが、本発明においてはこのようなおそれがないものであり、特に、４方差しのパレット１ａであっても何ら問題がないものである。
【００１２】
また、平面視矩形枠状をしたズリ落ち防止部材２を運搬用台１の上面部の外周縁部に嵌め込みにより着脱自在に取付けた状態で、ズリ落ち防止部材２の４辺の上部に設けたズリ落ち防止部５のうち、一方の一対の対向する２辺に設けたズリ落ち防止部５の内側面を運搬用台１の対応する一方の一対の辺の外端よりも平面視で運搬用台１の外側にずらして位置させると共に他方の一対の対向する２辺に設けたズリ落ち防止部５の外側面を運搬用台１の対応する他方の一対の辺の外側面と略面一又は運搬用台１の外側面よりもやや内側にずらし、上記他方の一対の対向する２辺に設けたズリ落ち防止部５の下部に設けた嵌め込み部３を運搬用台１の外側面と平行な縦片６により構成することが好ましい。
【００１３】
このように一方の一対の対向する２辺に設けたズリ落ち防止部５の内側面を運搬用台１の対応する一方の一対の辺の外端よりも平面視で運搬用台１の外側にずらして位置させてあるので、この一対のズリ落ち防止部５は運搬用台１の対向する２辺から外側にオーバーハング状に突出した状態となり、これにより運搬用台１の対向する２辺間の長さよりも横巾が長い載置物（横に複数並べた載置物の合計の横巾が運搬用台１の対向する２辺間の長さよりも長い場合も同様である）であってもオーバーハング状に突出した一対の横ズレ防止部５により確実にズリ落ちを防止できるものである。しかも、他方の一対の対向する２辺に設けたズリ落ち防止部５の外側面を運搬用台１の対応する他方の一対の辺の外側面と略面一又は運搬用台１の外側面よりもやや内側にずらし、上記他方の一対の対向する２辺に設けたズリ落ち防止部５の下部に設けた嵌め込み部３を運搬用台１の外側面と平行な縦片６により構成してあるので、この他方の一対の対向する２辺に設けたズリ落ち防止部５は運搬用台１から外側にオーバーハング状に突出せず、したがって、このオーバーハング状に突出していない方を壁に近接させて設置することで、ズリ落ち防止部５や縦片６よりなる嵌め込み部３が壁に衝突して破損したりしないものである。また、運搬台１同士を横に複数並べる場合、運搬用台１のズリ落ち防止部５がオーバーハング状に突出していない方の外側面同士を近接させて並設することで狭いスペースに多くの運搬用台１を並設できると共に隣接する運搬用台１のズリ落ち防止部５同士が衝突して破損したりしないものであり、また、２方差しのパレット１ａにおいて運搬用台１のズリ落ち防止部５がオーバーハング状に突出していない方の外側面にフォーク挿入口１１を開口させることで、フォークの根元がズリ落ち防止部５に衝突するのを回避してズリ落ち防止部５が損傷するのを防止できるものである。
【００１４】
また、下部に縦片６よりなる嵌め込み部３を垂設した方の一対のズリ落ち防止部５にそれぞれ上方に向けてズレ防止補助部材７を突設し、該ズレ防止補助部材７に、嵌め込み部３の上下高さと同じ上下高さの上下間隔保持部８と、上下間隔保持部８から上方に突出した嵌め込み支持凹部９とを備え、ズリ落ち防止部材２の上に上段のズリ落ち防止部材２を平面視で同一姿勢で又は１８０度回転した姿勢で載置した状態で、上段のズリ落ち防止部５の内側面又は外側面の少なくとも一方に下段のズレ防止補助部材７の嵌め込み支持凹部９の側端部が当接して下段のズリ落ち防止部材２と上段のズリ落ち防止部材２との横ずれを防止するための横ズレ防止部１０を設けることが好ましい。
【００１５】
このような構成とすることで、運搬用台１が空の場合に搬送したり、保管したりする際、ズリ落ち防止部材２を上方に抜き取ることで運搬用台１から取外し、複数の運搬用台１同士を上下に多段に積層し、また、複数のズリ落ち防止部材２同士を平面視で同一姿勢で又は１８０度回転した姿勢で載置して搬送や保管ができるものであり、特に、矩形枠状をしたズリ落ち防止部材２同士は、下段のズリ落ち防止部５から上方に突出した嵌め込み支持凹部９に上段のズリ落ち防止部材２のズリ落ち防止部５が嵌め込まれ且つ上段の横ズレ防止部１０が下段の嵌め込み支持凹部９の側端部に当接することで、上下段に重ねた矩形枠状のズリ落ち防止部材２同士が前後、左右方向に横ずれすることなく積み重ねることができ、しかもこの場合、上下間隔保持部８が嵌め込み部３の上下高さと同じ上下高さであるので、上段の嵌め込み部３が下段の上下間隔保持部８の上下高さの内にぴったりと収まり、これにより上下方向に嵩低く且つ安定して矩形枠状のズリ落ち防止部材２を積み重ねて搬送や保管ができるものである。
【００１６】
【発明の実施の形態】
以下、本発明を添付図面に示す実施形態に基づいて説明する。
【００１７】
本発明において用いる平面視矩形状をした運搬用台１としては、パレット１ａや運搬用台車１ｂがある。
【００１８】
以下の説明は主に運搬用台１としてパレット１ａを例として説明する。図１、図２、図４、図７に示すように、平面視矩形状をしたパレット１ａにはフォーク挿入口１１を有しており、パレット１ａとしては外側面にフォーク挿入口１１が開口した４方差しパレットと、対向する２外側面にフォーク挿入口１１が開口した２方差しパレットとがある。
【００１９】
ズリ落ち防止部材２は平面視矩形枠状をしていて図１乃至５に示すように、運搬用台１の上面部の外周に沿って上方からの嵌め込みにより着脱自在に取付けられるように構成してある。図８乃至図１０にはズリ落ち防止部材２の一実施形態が示してあり、金属製の角パイプよりなる上枠材１２の下面に金属製の縦断面Ｌ字状をしたＬ形金物１３の横片１４を固着して枠部材１６を形成し、Ｌ形をしたコーナ接続部材１９で４本の枠部材１６を接続固着することで平面視矩形枠状に枠組みし、更に、対向する一対の上枠材１２に上方に向けてズレ防止補助部材７を突設してズリ落ち防止部材２を構成してある。ここで、本実施形態では角パイプよりなる４本の上枠材１２及びコーナ接続部材１９により平面視矩形枠状をしたズリ落ち防止部５が形成されるものである。また、ズリ落ち防止部５を構成する各上枠材１２の下面に固着したＬ形金物１３の横片１４がパレット１ａの上面に載置される載置部４となり、Ｌ形金物１３の縦片６がパレット１ａの４外側面に嵌め込まれる嵌め込み部３となっている。
【００２０】
本実施形態では平面視矩形枠状をしたズリ落ち防止部材２の一方の対向する一対のズリ落ち防止部５である上枠材１２の外側面と、嵌め込み部３を構成する縦片６の外面とが面一となっている。
【００２１】
また、本実施形態では平面視矩形状をしたズリ落ち防止部材２の他方の対向するズリ落ち防止部５の下面に固着したＬ形金物１３の縦片６は上記ズリ落ち防止部５の外側面よりも外側方にずれて位置している。
【００２２】
ズレ防止補助部材７は図１１に示すように略Ｈ字状をしていて、上下方向の中間部分が嵌め込み部３の上下高さと同じ上下高さの上下間隔保持部８となっており、この上下間隔保持部８から上方にＵ字状をした嵌め込み支持凹部９が一体に突設し、更に上下間隔保持部８から下方に逆Ｕ字状をした下嵌め込み凹部１５が一体に突設することでズレ防止補助部材７を構成してある。嵌め込み支持凹部９及び下嵌め込み凹部１５の上下方向の高さはズリ落ち防止部５の上下高さと同じか又は短くなっている。
【００２３】
このズレ防止補助部材７は対向する一対の上枠材１２にそれぞれ下嵌め込み凹部１５を上方から嵌め込んで固着具により固着することで、ズリ落ち防止部５を構成する上枠材１２の上面から上下間隔保持部８と嵌め込み支持凹部９とを上方に突出するようになっている。このようにズレ防止補助部材７を取付けた状態で、下嵌め込み凹部１５の両側片がズリ落ち防止部５の内側面及び外側面から板厚分だけ突出して取付けられることになり、このため本実施形態においては、上記下嵌め込み凹部１５の両側片の側端部が後述する横ズレ防止部１０となっている。
【００２４】
ここで、一対の上枠材１２にはそれぞれ長手方向に複数個（実施形態では２個）のズレ防止補助部材７が設けてあるが、各上枠材１２における複数個のズレ防止補助部材７の取付け位置は、下段のズリ落ち防止部材２の上に上段のズリ落ち防止部材２を平面視で１８０度回転して重ねた場合、平面視で下段のズリ落ち防止部材２のズレ防止補助部材７の隣りに上段のズリ落ち防止部材２のズレ防止補助部材７が隣接するような位置関係となるように設定してある。例えば、図３に示す実施形態のように一対の対向する上枠材１２に左右対称にズレ防止補助部材７を設けたものにおいて、上枠材１２の長手方向に設けた２つのズレ防止補助部材７の位置は、図３においてズリ落ち防止部材２の一辺の長手方向の一端から一方のズレ防止補助部材７までの長さをＭとし、ズリ落ち防止部材２の一辺の長手方向の他端から他方のズレ防止補助部材７までの長さをＮとし、ズレ防止補助部材７の横巾をＰとした場合、Ｍ＝Ｎ＋Ｐの関係となっている。これにより、下段のズリ落ち防止部材２の上に上段のズリ落ち防止部材２を平面視で１８０度回転して重ねた場合、平面視で下段のズリ落ち防止部材２のズレ防止補助部材７の隣りに上段のズリ落ち防止部材２のズレ防止補助部材７が隣接する。
【００２５】
本発明の搬送装置（実施形態においてはパレット装置）は、上記した平面視矩形状の運搬用台１であるパレット１ａと、該パレット１ａの上面部の外周に沿って上方からの嵌め込みにより着脱自在に取付けられる上記した平面視矩形枠状をしたズリ落ち防止部材２とで構成されるものである。
【００２６】
ズリ落ち防止部材２のパレット１ａへの取付けに当たっては、矩形枠状をしたズリ落ち防止部材２を平面視矩形状をしたパレット１ａに図２の矢印のように上方から嵌め込むことで取付ける。この場合、ズリ落ち防止部材２の４辺の下部に設けた嵌め込み部３を構成する縦片６が運搬用台１の４外側面に嵌め込まれると共に載置部４を構成する横片１４が運搬用台１の上面に載置されるものであり、この取付け状態において、ズリ落ち防止部５を構成する上枠材１２がパレット１ａの上面から上方に突出するものである。このようにしてズリ落ち防止部材２をパレット１ａに取付けるのであるが、取付けに当たっては上方からの嵌め込み作業のみで簡単に矩形枠状をしたズリ落ち防止部材２を運搬用台１であるパレット１ａの上面の外周端縁部に着脱自在に取付けることができ、また、嵌め込み部３が運搬用台１の４外側面に嵌め込まれることでズリ落ち防止部材２がパレット１ａに対して前後、左右に横ずれしないように確実に取付けることができ、しかも、上記のように矩形枠状のズリ落ち防止部材２の４辺の嵌め込み部３を平面視矩形状をしたパレット１ａの上面部の外周に沿って上方から嵌め込むことで取付けるので、パレット１ａにズリ落ち防止部材２を取付けるための特別な係合孔等を必要とせず、したがって、一般に市販されている平面視矩形状をした運搬用台（すなわちパレット）であれば、ズリ落ち防止部材２を簡単に着脱自在に取付けることができるものである。
【００２７】
上記のようにズリ落ち防止部材２を運搬用台１であるパレット１ａに上方からの嵌め込みにより取付けた状態で、図６に示すようにパレット１ａの上面に載置物２５を載置するのであるが、この場合、載置物２５は矩形枠状をしたズリ落ち防止部材２に囲まれたエリア内において載置するものであり、パレット１ａに載置物２５を載置して搬送するや保管する際に、ズリ落ち防止部材２の４辺のズリ落ち防止部５により載置物２５がパレット１ａからズリ落ちるのを防止し、安定して載置物２５をパレット１ａに載置できるものである。
【００２８】
ところで、図１乃至図５に示す実施形態においては、上記のようにしてズリ落ち防止部材２を運搬用台１であるパレット１ａの上面の外周端縁部に着脱自在に取付けた状態において、ズリ落ち防止部材２の４辺のズリ落ち防止部５の外側面が平面視で運搬用台１の外側面とほぼ面一又は運搬用台１の外側面よりもやや内側にずれるように取付けられるものであり（図１乃至図５では一方の対向する一対のズリ落ち防止部５の各外側面がパレット１ａの一方の対向する一対の外側面と略面一となり、他方の対向する一対のズリ落ち防止部５の各外側面がパレット１ａの他方の対向する一対の外側面よりもやや内側にずれるように取付けてあり）、また、矩形枠状のズリ落ち防止部材２の４辺に設けた嵌め込み部３がパレット１ａの外側面に沿う縦片６により構成してあって縦片６の外面が運搬用台１の外側面とほぼ面一に位置することになり、これによりパレット１ａの４辺からズリ落ち防止部５、縦片６がオーバーハング状に外側方に大きく突出することがない。
【００２９】
したがって、ズリ落ち防止部材２を取付けた状態の運搬用台１の４辺のうちどの辺を壁に近接させて設置してもズリ落ち防止部５や嵌め込み部３のみが局部的に壁に衝突して破損したりしないものであり、また、運搬用台１の外側面同士を近接させて並設することができて、狭いスペースに多くの運搬用台１を並設できると共に、この場合、隣接する運搬用台１のズリ落ち防止部５同士が衝突して破損したりしないものであり、また、運搬用台１がフォーク挿入口１１を有するパレット１ａの場合、フォーク挿入口１１にＬ状をしたフォークの根元まで挿入してもフォークの根元がズリ落ち防止部５に衝突することがなく、ズリ落ち防止部５がフォークにより損傷するおそれがなく、特に、本実施形態においては、４方差しのパレット１ａにおいて、前後、左右のいずれの方向からフォーク挿入口１１にフォークを挿入してもズリ落ち防止部５をフォークで損傷するおそれがないものである。
【００３０】
上記のようにズリ落ち防止部材２を取付けたパレット装置において載置物２５を下してパレット１ａが空になると、パレット１ａから矩形枠状をしたズリ落ち防止部材２を上方に引き抜くことで取外し、空のパレット１ａ同士複数積み重ねて搬送したり、保管するものであり、また、取り外したズリ落ち防止部材２は複数重ねて搬送したり、保管したりするものである。この場合、最下段のズリ落ち防止部材２はパレット１ａに嵌め込んでおくことで、多段に積み重ねたズリ落ち防止部材２を１つのパレット１ａに載置した状態で該パレット１ａをフォークリフトで運ぶことで簡単に多数のズリ落ち防止部材２を運ぶことができる。
【００３１】
ここで、矩形枠状をしたズリ落ち防止部材２を上下に多段に積み重ねるに当たっては、ズリ落ち防止部材２の上に上段のズリ落ち防止部材２を平面視で同一姿勢で又は１８０度回転した姿勢で載置する（添付図面に示す実施形態では１８０度回転した姿勢で載置する）。この状態で、図７に示すように、下段のズリ落ち防止部材２のズレ防止補助部材７の嵌め込み支持凹部９に上段のズリ落ち防止部材２のズリ落ち防止部５が嵌り込み、更に、上段のズリ落ち防止部５の内側面及び外側面に設けた横ズレ防止部１０（実施形態では上段のズリ落ち防止部５に取付けたズレ防止補助部材７の下嵌め込み凹部１５の両側片の側端部が横ズレ防止部１０となっている）が、下段のズリ落ち防止部材２に取付けたズレ防止補助部材７の嵌め込み支持凹部９の側端部に当接して横ずれを防止することになる。したがって、上段のズリ落ち防止部材２は下段のズリ落ち防止部材２に対して、前後方向、左右方向に横ずれするのが防止され、複数段確実に積み重ねることができるものである。しかも、この場合、上下間隔保持部８が嵌め込み部３の上下高さと同じ上下高さであるので、上段の嵌め込み部３が下段の上下間隔保持部８の上下高さの内にぴったりと収まり、これにより上下方向に嵩低く且つ安定して矩形枠状のズリ落ち防止部材２を積み重ねて搬送や保管ができるものである。
【００３２】
なお、上記例ではズレ防止補助部材７に下嵌め込み凹部１５を設けて該下嵌め込み凹部１５の両側片の側端部を横ズレ防止部１０とした例を示したが、ズレ防止補助部材７に下嵌め込み凹部１５を設けない場合にはズリ落ち防止部５の外側面乃至内側面の少なくとも一方にズレ防止補助部材７とは別体の横ズレ防止部１０を突設してもよい。この場合には、ズリ落ち防止部材２の上に上段のズリ落ち防止部材２を平面視で同一姿勢で載置した状態で、上段のズリ落ち防止部５の外側面乃至内側面に設けた横ズレ防止部１０を下段のズレ防止補助部材７の嵌め込み支持凹部９の側端部が当接して横ずれを防止することになる。
【００３３】
一方、ズリ落ち防止部材２がない状態でパレット１ａのみを使用する場合もある。このような場合にはパレット１ａからズリ落ち防止部材２を上方に引きぬくことで簡単にズリ落ち防止部材２を取り外すことができるので、パレット１ａのみでの単独の使用が可能である。
【００３４】
次に、本発明の他の実施形態を図１２に基づいて説明する。本発明の基本的構成は上記実施形態と同様であるので、異なる構成につき以下説明する。
【００３５】
すなわち、上記実施形態においては、ズリ落ち防止部材２の４辺の上部のズリ落ち防止部５の外側面を平面視で運搬用台１であるパレット１ａの外側面とほぼ面一又はパレット１ａの外側面よりもやや内側にずらして４辺のズリ落ち防止部５がパレット１ａの４外側面から外側方にオーバーハング状に大きく突出しないようにしたが、本実施形態においては、４辺のズリ落ち防止部５のうち一方の対向するズリ落ち防止部５の内側面がパレット１ａの対応する一対の外側面から外側方に大きくオーバーハング状に突出するように構成し、他方の対向する一対のズリ落ち防止部５がパレット１ａの対応する一対の外側面から外側方にオーバーハング状に突出しないようにした構成となっている。
【００３６】
すなわち、本実施形態においては、図１２、図１４乃至図１６に示すように、平面視矩形枠状をしたズリ落ち防止部材２をパレット１ａの上面部の外周縁部に嵌め込みにより着脱自在に取付けた状態で、ズリ落ち防止部材２の４辺の上部に設けたズリ落ち防止部５のうち、一方の一対の対向する２辺に設けたズリ落ち防止部５の内側面をパレット１ａの対応する一方の一対の辺の外端よりも平面視でパレット１ａの外側にずらして位置させることで該一方の一対のズリ落ち防止部５を対応する一対の外側面から外側方に大きくオーバーハング状に突出させ、他方の一対の対向する２辺に設けたズリ落ち防止部５の外側面をパレット１ａの対応する他方の一対の辺の外側面と略面一又はパレット１ａの外側面よりもやや内側にずらしたものである。
【００３７】
図１９乃至図２１には本実施形態のズリ落ち防止部材２が示してあり、金属製の角パイプよりなる上枠材１２の下面に金属製の縦断面Ｌ字状をしたＬ形金物１３の横片１４を固着して枠部材１６を形成し、金属製の角パイプよりなる下枠材１７上に断面Ｌ字状をした金属製の上枠材１２’を固着して枠部材１６’を形成すると共に下枠材１７の長手方向の両端部を上枠材１２’の長手方向の両端部よりも少し突出させてある。そして、上記の構成の一対の枠部材１６と一対の枠部材１６’とを図２２に示すようなコーナ接続部材１９により接続固着することで平面視矩形枠状に枠組みし、更に、対向する角パイプよりなる一対の上枠材１２に上方に向けてズレ防止補助部材７を突設してズリ落ち防止部材２を構成してある。ここで、本実施形態では角パイプよりなる一対の上枠材１２及び断面Ｌ字状をした一対の金属製の上枠材１２’及びコーナ接続部材１９により平面視矩形枠状をしたズリ落ち防止部５が形成されるものである。本実施形態においては、コーナ接続部材１９は両端が開口した角筒部１９ａの上面部に角筒部１９ａの開口方向と平面視で直交する方向及び上方向に開口するＵ状部１９ｂを一体に設けて構成してあり、角筒部１９ａに下枠材１７の長手方向の端部を嵌め込み固着し、Ｕ状部１９ｂに上枠材１２の端部を嵌め込み固着するようになっている。
【００３８】
また、本実施形態においては、一対の上枠材１２の下面に固着したＬ形金物１３の横片１４がパレット１ａの上面に載置される載置部４となり、Ｌ形金物１３の縦片６及び角パイプよりなる一対の下枠材１７がパレット１ａの４外側面に嵌め込まれる嵌め込み部３となっている。
【００３９】
角パイプよりなる一対の上枠材１２には前述の実施形態と同様にズレ防止補助部材７が固着してある。ズレ防止補助部材７の構成、取付け位置等は前述の実施形態と同様であるので説明は省略する。
【００４０】
本実施形態においても、ズリ落ち防止部材２は平面視矩形枠状をしていてパレット１ａの上面部の外周に沿って上方からの嵌め込みにより着脱自在に取付ける。この場合、ズリ落ち防止部材２の４辺の下部に設けた嵌め込み部３を構成する縦片６及び下枠材１７がパレット１ａの４外側面に嵌め込まれると共に載置部４を構成する横片１４がパレット１ａの上面に載置されるものであり、この取付け状態において、ズリ落ち防止部５を構成する上枠材１２及び上枠材１２’がパレット１ａの上面から上方に突出するものである。このようにしてズリ落ち防止部材２をパレット１ａに取付けるのであるが、取付けに当たっては前述の実施形態と同様に上方からの嵌め込み作業のみで簡単に矩形枠状をしたズリ落ち防止部材２を運搬用台１であるパレット１ａの上面の外周端縁部に着脱自在に取付けることができ、また、嵌め込み部３がパレット１ａの４外側面に嵌め込まれることでズリ落ち防止部材２がパレット１ａに対して前後、左右に横ずれしないように確実に取付けることができ、しかも、上記のように矩形枠状のズリ落ち防止部材２の４辺の嵌め込み部３を平面視矩形状をしたパレット１ａの上面部の外周に沿って上方からの嵌め込むことで取付けるので、パレット１ａにズリ落ち防止部材２を取付けるための特別な係合孔等を必要とせず、したがって、一般に市販されている平面視矩形状をした運搬用台（すなわちパレット）であれば、ズリ落ち防止部材２を簡単に着脱自在に取付けることができるものである。
【００４１】
上記のようにズリ落ち防止部材２を運搬用台１であるパレット１ａに上方からの嵌め込みにより取付けた状態で、図１７に示すように、パレット１ａの上面に載置物２５を載置するのであるが、この場合、載置物２５は矩形枠状をしたズリ落ち防止部材２に囲まれたエリア内において載置するものであり、パレット１ａに載置物２５を載置して搬送する際や保管する際に、ズリ落ち防止部材２の４辺のズリ落ち防止部５により載置物２５がパレット１ａからズリ落ちるのを防止し、安定して載置物２５をパレット１ａに載置できるものである。
【００４２】
ところで、本実施形態においては、上記のようにしてズリ落ち防止部材２を運搬用台１であるパレット１ａの上面の外周端縁部に着脱自在に取付けた状態において、一方の一対の対向する２辺に設けたズリ落ち防止部５の内側面をパレット１ａの対応する一方の一対の辺の外端よりも平面視でパレット１ａの外側にずらして位置させてあるので、この一対のズリ落ち防止部５はパレット１ａの対向する２辺から外側にオーバーハング状に突出した状態となる。このためパレット１ａの対向する２辺間の長さよりも横巾が長い載置物２５（横に複数並べた載置物の合計の横巾がパレット１ａの対向する２辺間の長さよりも長い場合も同様である）であってもオーバーハング状に突出した一対の横ズレ防止部５により確実に横ずれしてズリ落ちるのを防止できるものである。
【００４３】
ここで、他方の一対の対向する２辺に設けたズリ落ち防止部５の外側面をパレット１ａの対応する他方の一対の辺の外側面と略面一又はパレット１ａの外側面よりもやや内側にずれており、また、この他方の一対の対向する２辺に設けたズリ落ち防止部５の下部に設けた嵌め込み部３はパレット１ａの外側面と平行な縦片６より構成してあるので、この他方の一対の対向する２辺に設けたズリ落ち防止部５はパレット１ａから外側にオーバーハング状に大きく突出することがないものである。したがって、このオーバーハング状に突出していない方を壁に近接させて設置することで、ズリ落ち防止部５や縦片６よりなる嵌め込み部３が壁に衝突して破損したりしないものであり、また、パレット１ａ同士を横に複数並べる場合、パレット１ａのズリ落ち防止部５がオーバーハング状に突出していない方の外側面同士を近接させて並設することができ、これにより狭いスペースに多くのパレット１ａを並設できると共に隣接するパレット１ａのズリ落ち防止部５同士が衝突して破損したりしないものである。また、２方差しのパレット１ａにおいてパレット１ａのズリ落ち防止部５がオーバーハング状に突出していない方の外側面にフォーク挿入口１１を開口させることで、フォークの根元がズリ落ち防止部５に衝突するのを回避してズリ落ち防止部５が損傷するのを防止できるものである。
【００４４】
本実施形態においても、載置物２５を下してパレット１ａが空になると、パレット１ａから矩形枠状をしたズリ落ち防止部材２を上方に引き抜いて取外し、空のパレット１ａ同士複数積み重ねて搬送したり、保管するものであり、また、取り外したズリ落ち防止部材２は複数重ねて搬送したり、保管したりするものである。そして、本実施形態においても前述の実施形態と同様にズリ落ち防止部材２の上に上段のズリ落ち防止部材２を平面視で同一姿勢で又は１８０度回転した姿勢で上下多段に積み重ねて搬送、保管できるものである（図１８参照）。ズリ落ち防止部材２を多段に積み重ねた状態で前述の実施形態と同様にズリ落ち防止部材２が横ずれしないようになっており、このためのズリ落ち防止部材２の積み重ねにおける具体的構成、作用は前述の実施形態と同様であるので説明は省略する。
【００４５】
次に、上記実施形態においては、運搬用台１としてフォークリフトにより持ち上げて運ぶパレット１ａの例を示したが、運搬用台１として運搬用台車１ｂであってもよい。図２３にその一例を示している。運搬用台車１ｂは車輪２０を備えていて車輪２０を転動させることで移動できるようになっている。ズリ落ち防止部材２は前述の各実施形態と同様であり、ズリ落ち防止部材２を運搬用台１である運搬用台車１ｂに上方からの嵌め込みにより取付けた状態で、運搬用台車１ｂの上面に載置物を載置するのであるが、この場合、載置物は矩形枠状をしたズリ落ち防止部材２に囲まれたエリア内において載置するものであり、運搬用台車１ｂに載置物を載置して搬送する際や保管する際に、ズリ落ち防止部材２の４辺のズリ落ち防止部５により載置物が運搬用台車１ｂからズリ落ちるのを防止し、安定して載置物を運搬用台車１ｂに載置して搬送できるものである。
【００４６】
なお、図示を省略しているが、運搬用台車１ｂにはハンドルを取付けるハンドル取付け部を設けたり、あるいは他の運搬用台車１ｂと連結するための連結部を設けたりしてもよく、これらのハンドル取付け部や連結部は上記ズリ落ち防止部材２の取付けに支障ない位置に設けるものであり、例えば、運搬用台車１ｂの外側面部の嵌め込み部３が嵌め込まれる部分を避けた位置に設けることができる。
【００４７】
【発明の効果】
上記のように本発明の請求項１記載の発明にあっては、矩形枠状のズリ落ち防止部材を上方からの嵌め込みにより運搬用台に着脱自在に取付けることができるので、ズリ落ち防止部材の有るパレットとしての使用形態と、ズリ落ち防止部材の無いパレット単独の使用形態がズリ落ち防止部材の上方からの嵌め込み、上方への引き抜きで簡単に選択できるものであり、また、矩形枠状をしているので、全体の強度が強くて載置物のズリ落ちを確実に防止できるものであり、また、ズリ落ち防止部材を上方から嵌め込むだけで取付けできるので、ズリ落ち防止部材を取付けるための特別な構造を運搬用台に備える必要がなくて、運搬用台として従来から使用されている一般的な形状の運搬用台をそのまま使用することが可能となるものであり、また、空の運搬用台を複数搬送したり、保管したりする際、ズリ落ち防止部材を取り外して空の運搬用台のみを従来と同様に複数段重ねて搬送したり、保管したりできるものである。
【００４８】
また、請求項２記載の発明にあっては、上記請求項１記載の発明の効果に加えて、ズリ落ち防止部材を取付けた状態の運搬用台の４辺のうちどの辺を壁に近接させたり、運搬用台同士を近接して隣接させて設置してもズリ落ち防止部や嵌め込み部が壁や隣接する運搬用台に衝突して破損したりせず、また、運搬用台がパレットの場合において、フォークの根元がズリ落ち防止部に衝突してズリ落ち防止部が損傷するというようなおそれが無く、特に、４方差しのパレットであっても何ら問題がないものである。
【００４９】
また、請求項３記載の発明にあっては、上記請求項１記載の発明の効果に加えて、一対のズリ落ち防止部は運搬用台の対向する２辺から外側にオーバーハング状に突出した状態となり、これにより運搬用台の対向する２辺間の長さよりも横巾が長い載置物であってもオーバーハング状に突出した一対の横ズレ防止部により確実に横ずれしてズリ落ちるのを防止できるものであり、また、他方の一対の対向する２辺に設けたズリ落ち防止部は運搬用台から外側にオーバーハング状に突出せず、したがって、このオーバーハング状に突出していない方を壁に近接させて設置したり、運搬用台のズリ落ち防止部がオーバーハング状に突出していない方の外側面同士を近接させて並設しても、ズリ落ち防止部が壁や隣接する運搬用台のズリ落ち防止部に衝突して損傷して破損したりしないものであり、また、２方差しのパレットにおいて運搬用台のズリ落ち防止部がオーバーハング状に突出していない方の外側面にフォーク挿入口を開口させることで、フォークの根元がズリ落ち防止部５に衝突するのを回避してズリ落ち防止部が損傷するのを防止できるものである。
【００５０】
また、請求項４記載の発明にあっては、上記請求項１乃至請求項３のいずれかに記載の発明の効果に加えて、運搬用台が空の場合に搬送したり、保管したりする際、ズリ落ち防止部材を取外して複数の運搬用台同士を上下に多段に積層し、また、複数のズリ落ち防止部材同士を平面視で同一姿勢で又は１８０度回転した姿勢で載置して搬送や保管ができるものであり、特に、矩形枠状をしたズリ落ち防止部材同士は、下段のズリ落ち防止部から上方に突出した嵌め込み支持凹部に上段のズリ落ち防止部材のズリ落ち防止部が嵌め込まれ且つ上段の横ズレ防止部が下段の嵌め込み支持凹部の側端部に当接するので、上下段に重ねた矩形枠状のズリ落ち防止部材同士が前後、左右方向に横ずれすることなく安定して積み重ねることができ、しかもこの場合、上下間隔保持部が嵌め込み部の上下高さと同じ上下高さであるので、上段の嵌め込み部が下段の上下間隔保持部の上下高さの内にぴったりと収まり、これにより上下方向に嵩低く且つ安定して矩形枠状のズリ落ち防止部材を積み重ねて搬送や保管ができるものである。
【図面の簡単な説明】
【図１】本発明の運搬装置の斜視図である。
【図２】同上の分解斜視図である。
【図３】同上の平面図である。
【図４】同上の正面図である。
【図５】同上の側面図である。
【図６】同上の運搬装置に載置物を載置した状態の側面図である。
【図７】同上のズリ落ち防止部材を上下多段に積み重ねている状態の側面図である。
【図８】同上のズリ落ち防止部材の下面図である。
【図９】同上に用いるズリ落ち防止部材の正面図である。
【図１０】同上に用いるズリ落ち防止部材の側面図である。
【図１１】同上に用いるズレ防止補助部材の斜視図である。
【図１２】本発明の他の実施形態の斜視図である。
【図１３】同上の分解斜視図である。
【図１４】同上の平面図である。
【図１５】同上の正面図である。
【図１６】同上の側面図である。
【図１７】同上の運搬装置に載置物を載置した状態の側面図である。
【図１８】同上のズリ落ち防止部材を上下多段に積み重ねている状態の側面図である。
【図１９】同上に用いるズリ落ち防止部材の下面図である。
【図２０】同上に用いるズリ落ち防止部材の正面図である。
【図２１】同上に用いるズリ落ち防止部材の側面図である。
【図２２】同上に用いるコーナ接続部材の斜視図である。
【図２３】本発明の更に他の実施形態の斜視図である。
【符号の説明】
１  運搬用台
２  ズリ落ち防止部材
３  嵌め込み部
４  載置部
５  ズリ落ち防止部
６  縦片
７  ズレ防止補助部材
８  上下間隔保持部
９  嵌め込み支持凹部
１０  横ズレ防止部
【図１】
2005008200.tif 000003
【図２】
2005008200.tif 000004
【図３】
2005008200.tif 000005
【図４】
2005008200.tif 000006
【図５】
2005008200.tif 000007
【図６】
2005008200.tif 000008
【図７】
2005008200.tif 000009
【図８】
2005008200.tif 000010
【図９】
2005008200.tif 000011
【図１０】
2005008200.tif 000012
【図１１】
2005008200.tif 000013
【図１２】
2005008200.tif 000014
【図１３】
2005008200.tif 000015
【図１４】
2005008200.tif 000016
【図１５】
2005008200.tif 000017
【図１６】
2005008200.tif 000018
【図１７】
2005008200.tif 000019
【図１８】
2005008200.tif 000020
【図１９】
2005008200.tif 000021
【図２０】
2005008200.tif 000022
【図２１】
2005008200.tif 000023
【図２２】
2005008200.tif 000024
【図２３】
2005008200.tif 000025